【手続補正書】
【提出日】平成16年9月13日(2004.9.13)
【手続補正１】
【補正対象書類名】明細書
【補正対象項目名】請求項２
【補正方法】変更
【補正の内容】
【請求項２】
請求項１に記載の撮像信号処理装置において、前記複数の画像処理手段が行う画像処理の種類には、前記第１の記憶手段に記憶されている第１の画像信号の明るさの変更、階調変化特性の変更、色温度の補正、彩度の変更、輪郭の変更、圧縮率の変更、黒レベルの変更を行う画像処理のうち少なくとも１つが含まれ、
前記処理パラメータ情報には、前記明るさ、階調変化特性、色温度、彩度、輪郭、圧縮率、黒レベルのうち処理対象とされているものに対する処理パラメータ情報が少なくとも含まれ、
該処理パラメータ情報に従って前記複数の画像処理手段は、前記第１の記憶手段に記憶されている第１の画像信号の明るさの変更、階調変化特性の変更、色温度の補正、彩度の変更、輪郭の変更、圧縮率の変更、黒レベルの変更を行って、複数の前記第２の画像信号を生成することを特徴とする撮像信号処理装置。
【手続補正２】
【補正対象書類名】明細書
【補正対象項目名】請求項８
【補正方法】変更
【補正の内容】
【請求項８】
請求項７に記載の撮像信号処理装置において、該装置は、前記第１の記憶手段に記憶された第１の画像信号をハイライト領域とシャドー領域に分割する手段を有し、
前記複数の画像処理手段は、前記ハイライト領域と前記シャドー領域に対応して設けられており、該複数の画像処理手段の各々は該ハイライト領域と該シャドー領域のいずれかを対象として画像処理を行って前記第２の画像信号を生成することを特徴とする撮像信号処理装置。
【手続補正３】
【補正対象書類名】明細書
【補正対象項目名】０００７
【補正方法】変更
【補正の内容】
【０００７】
ここで、複数の画像処理手段が行う画像処理の種類には、第１の記憶手段に記憶されている第１の画像信号の明るさの変更、階調変化特性の変更、色温度の補正、彩度の変更、輪郭の変更、圧縮率の変更、黒レベルの変更を行う画像処理のうち少なくとも１つが含まれ、処理パラメータ情報には、明るさ、階調変化特性、色温度、彩度、輪郭、圧縮率、黒レベルのうち処理対象とされているものに対する処理パラメータ情報が少なくとも含まれ、この処理パラメータ情報に従って複数の画像処理手段は、第１の記憶手段に記憶されている第１の画像信号の明るさの変更、階調変化特性の変更、色温度の補正、彩度の変更、輪郭の変更、圧縮率の変更、黒レベルの変更を行って、複数の第２の画像信号を生成することとしてもよい。
【手続補正４】
【補正対象書類名】明細書
【補正対象項目名】００１０
【補正方法】変更
【補正の内容】
【００１０】
なお、第１の記憶手段に記憶された第１の画像信号をハイライト領域とシャドー領域に分割する手段を有し、複数の画像処理手段の各々は、画像処理の種類および処理パラメータ情報のうち少なくとも１つがハイライト領域とシャドー領域では異なる画像処理を行うこととしてもよい。
【手続補正５】
【補正対象書類名】明細書
【補正対象項目名】００３１
【補正方法】変更
【補正の内容】
【００３１】
ゲイン変化部12c は、バッファメモリ12b から画像データを入力されて、当該画像データに対してゲイン変化処理を行う。すなわちゲイン変化部12c は、システム制御部13からのゲイン変化処理の枚数および露出補正量（パラメータ情報）に関する指示を受けて、バッファメモリ12b からの画像データの露出を、指示に従って定数倍する。
【手続補正６】
【補正対象書類名】明細書
【補正対象項目名】００３２
【補正方法】変更
【補正の内容】
【００３２】
例えば、ゲイン変化処理の枚数が５枚、露出補正量が 0.5EVステップの場合、システム制御部13は以下のような指示を出す。システム制御部13は、１枚分の画像データに含まれる個々の画素のアドレスを順次、生成して、バッファメモリ12b に送る。これをシステム制御部13は５回繰り返す。これと同時に、各回ごとに、ゲイン変化部12c に対しては、露出値(EV)を補正するために、例えば、-1.0, -0.5, 0.0, +0.5, +1.0 という数値を順次送る。例えば-1.0は、-1.0EVの露出補正を行うことを意味し、ゲイン変化部12c は、この指示を受けたときは、この露出補正に対応する処理として、バッファメモリ12b からの画像データ露出を、1/2 倍する。すなわち、-1.0, -0.5, 0.0, +0.5, +1.0 に対する処理は、それぞれ、画像データ露出を 1/2倍, √(1/2) 倍, 1.0 倍, √(2) 倍, 2 倍することである。なお、これらの数値は、一例を示すものであり、これに限られるものではない。
【手続補正７】
【補正対象書類名】明細書
【補正対象項目名】００４４
【補正方法】変更
【補正の内容】
【００４４】
ゲイン設定部122 は、システム制御部13からの露出補正量に関する指示を受ける。例えば、「-1.0」という指示をシステム制御部13から受けると、乗算器121 のゲインを 1/2倍に設定する。そして乗算器121 は、入力される画像データの露出値を1/2 倍してゲイン変化部12c に出力する。なお、ゲイン変化処理を行わない場合は、システム制御部13は、「0.0 」という指示をゲイン設定部122 に送る。この指示は、バッファメモリ12b の画像データを、ゲイン変化部12c において変更することなく、用途別処理部12d に送ることを意味する。
【手続補正８】
【補正対象書類名】明細書
【補正対象項目名】００５８
【補正方法】変更
【補正の内容】
【００５８】
【表１】
2001054013.tif 000001
表１のゲイン欄はゲイン調整部124 の変換を表し、 LUT欄は階調変換部125 の変換を表す。なお、この欄に記載された「A」は図5(a)の変換カーブを示し、「B」は図5(b)の変換カーブを示す。マトリクス係数欄は輝度色差マトリクス部126 の変換を表し、輪郭強調欄、および彩度強調欄は、それぞれ輪郭強調部127 および彩度強調部128 の変換を表す。圧縮率欄は、図１のデータ圧縮部11f の変換を表す。
【手続補正９】
【補正対象書類名】明細書
【補正対象項目名】００８８
【補正方法】変更
【補正の内容】
【００８８】
図8(a)に示す１枚の画像には、陰の部分（シャドー領域）Ａと、晴天時の空や雲もしくは明るい背景のようなハイライト領域Ｂとがある。この画像では陰が強く出ているため、画像全体がきつい印象を与える。陰の部分Ａの明度を上げ、明るい部分Ｂの明度を下げることにより、陰が弱まって画像が柔らかい感じを有するようになる。領域によって明度の変化が異なる処理を行うために、１枚の原画像から、図8(b)に示す陰の部分と、図8(c)に示す明るい部分とを抽出する。
【手続補正１０】
【補正対象書類名】明細書
【補正対象項目名】００９５
【補正方法】変更
【補正の内容】
【００９５】
最初に領域情報を作成するために、システム制御部13A は、１枚分の画像データに含まれる個々の画素のアドレスを順次、生成してバッファメモリ12b に送る。同時に、領域抽出部212aに、バッファメモリ12b からの画像データを受けて、領域抽出を行うことを指示する。
【手続補正１１】
【補正対象書類名】明細書
【補正対象項目名】０１３８
【補正方法】変更
【補正の内容】
【０１３８】
信号処理部212のゲイン変化部212cにおいて、このように処理された画像データは、図７に示すデータ圧縮部11f に送られる。画像データの圧縮は、例えばJPEG規格に基づいて行うことができる。